(57)【要約】【課題】遮断性能に優れた開閉装置を得る。【解決手段】第１電流遮断部に流れる電流の方向と、第２電流遮断部に流れる電流の方向が異なる開閉装置において、第１，第２電流遮断部を仕切る絶縁隔壁に絶縁して設けられる永久磁石を備え、前記永久磁石の磁極面を第１，第２電流遮断部の第１固定接点と第１可動接点との第１接触部及び第２固定接点と第２可動接点との第２接触部に向けて配置し、第１接触部の第１中心と第２接触部の第２中心間の長さより、前記両中心を結ぶ方向における前記永久磁石の長さを小さくし、第１，第２排気口をそれぞれ前記絶縁隔壁に沿う方向に設けて、第１，第２電流遮断部で遮断時に発生するアークを、永久磁石によりそれぞれの第１，第２排気口方向に伸張させるようにした。【選択図】図２
2014222566.tif 000002
【特許請求の範囲】
【請求項１】
第１固定接点を有する固定接触子と、開閉動作で前記第１固定接点と接離可能な第１可動接点を有する可動接触子とから構成される第１電流遮断部、
第２固定接点を有する固定接触子と、開閉動作で前記第２固定接点と接離可能な第２可動接点を有する可動接触子とから構成される第２電流遮断部、
前記第１，第２電流遮断部を収容並置し前記両電流遮断部を絶縁隔壁によって仕切る絶縁容器、
前記第１電流遮断部の消弧空間と前記絶縁容器の外部空間とを連通する第１排気口、及び前記第２電流遮断部の消弧空間と前記絶縁容器の外部空間とを連通する第２排気口を備え、
前記絶縁容器に収容された状態で前記第１電流遮断部に流れる電流の方向と、前記第２電流遮断部に流れる電流の方向が異なる開閉装置において、
前記第１，第２電流遮断部を仕切る前記絶縁隔壁に絶縁して設けられる永久磁石を備え、前記永久磁石の磁極面を前記第１，第２電流遮断部の前記第１固定接点と前記第１可動接点との第１接触部及び前記第２固定接点と前記第２可動接点との第２接触部に向けて配置し、
前記第１接触部の第１中心と前記第２接触部の第２中心間の長さより、前記両中心を結ぶ方向における前記永久磁石の長さを小さくし、
前記第１，第２排気口をそれぞれ前記絶縁隔壁に沿う方向に設けて、
前記第１，第２電流遮断部で遮断時に発生するアークを、前記永久磁石によりそれぞれの前記第１，第２排気口方向に伸張させるようにした開閉装置。
【請求項２】
前記永久磁石は前記第１，第２電流遮断部の両可動接触子が最大開極にあるときにおける前記両可動接触子の反可動接点側の前記絶縁隔壁に配置したことを特徴とする請求項１記載の開閉装置。
【請求項３】
前記永久磁石は前記第１，第２電流遮断部の両固定接触子の反固定接点側の前記絶縁隔壁に配置したことを特徴とする請求項１記載の開閉装置。
【請求項４】
第１固定接点を有する固定接触子と、開閉動作で前記第１固定接点と接離可能な第１可動接点を有する可動接触子とから構成される第１電流遮断部、
第２固定接点を有する固定接触子と、開閉動作で前記第２固定接点と接離可能な第２可動接点を有する可動接触子とから構成される第２電流遮断部、
前記第１，第２電流遮断部を収容並置し前記両電流遮断部を絶縁隔壁によって仕切る絶縁容器、
前記第１電流遮断部の消弧空間と前記絶縁容器の外部空間とを連通する第１排気口、及び前記第２電流遮断部の消弧空間と前記絶縁容器の外部空間とを連通する第２排気口を備え、
前記絶縁容器に収容された状態で前記第１電流遮断部に流れる電流の方向と、前記第２電流遮断部に流れる電流の方向が同じである開閉装置において、
前記第１，第２電流遮断部を仕切る前記絶縁隔壁に絶縁して設けられる永久磁石を備え、前記永久磁石の磁極面を前記第１，第２電流遮断部の前記第１固定接点と前記第１可動接点との第１接触部及び前記第２固定接点と前記第２可動接点との第２接触部に対して直角に向けて配置し、
前記第１，第２排気口をそれぞれ前記絶縁隔壁に沿う方向に設けて、
前記第１，第２電流遮断部で遮断時に発生するアークを、前記永久磁石によりそれぞれの前記第１，第２排気口方向に伸張させるようにした開閉装置。
【請求項５】
前記永久磁石は前記第１，第２電流遮断部の両可動接触子が最大開極にあるときにおけ
る前記両可動接触子の反可動接点側の前記絶縁隔壁に配置したことを特徴とする請求項４記載の開閉装置。
【請求項６】
前記永久磁石は前記第１，第２電流遮断部の両固定接触子の反固定接点側の前記絶縁隔壁に配置したことを特徴とする請求項４記載の開閉装置。
【発明の詳細な説明】
【技術分野】
【０００１】
この発明は、電流を遮断するスイッチ，開閉器，遮断器などの開閉装置に関し、電流遮断時に発生するアークを永久磁石で伸張させるものに係わる。
【背景技術】
【０００２】
開閉装置では遮断時に接点間に発生したアークを引き伸ばしてアーク抵抗を高め、アーク電圧を高電圧化して電流を遮断する。特に、直流用開閉装置に関しては、電源電圧よりアーク電圧を高くし、電流零点を発生させて遮断する必要があるため、アークを引き伸ばす技術は重要である。従来、一般的にアークを引き伸ばすには永久磁石の磁場をアークに鎖交させ、アーク自体にローレンツ力を発生させることでアーク長を引き伸ばしている（例えば特許文献１）。
【先行技術文献】
【特許文献】
【０００３】
【特許文献１】特開２００９−８７９１８号公報（実施例３，図１０，図１１）
【発明の概要】
【発明が解決しようとする課題】
【０００４】
特許文献１のような開閉装置では、アークを消弧室側面方向に駆動させる構造となっているが、駆動方向に十分な伸張スペースが無いため、アークが十分に伸張せず遮断性能の改善効果が低い。また、アークを所望の方向に駆動させるためには、２つの接点空間を覆う大きさの永久磁石が必要になるため高コストな構造となってしまうという問題点があった。
この発明は、前記のような問題点を解決するためになされたもので、遮断性能に優れた開閉装置を得ることを目的する。
【課題を解決するための手段】
【０００５】
この発明に係わる開閉装置は、
第１固定接点を有する固定接触子と、開閉動作で前記第１固定接点と接離可能な第１可動接点を有する可動接触子とから構成される第１電流遮断部、第２固定接点を有する固定接触子と、開閉動作で前記第２固定接点と接離可能な第２可動接点を有する可動接触子とから構成される第２電流遮断部、前記第１，第２電流遮断部を収容並置し前記両電流遮断部を絶縁隔壁によって仕切る絶縁容器、前記第１電流遮断部の消弧空間と前記絶縁容器の外部空間とを連通する第１排気口、及び前記第２電流遮断部の消弧空間と前記絶縁容器の外部空間とを連通する第２排気口を備え、前記絶縁容器に収容された状態で前記第１電流遮断部に流れる電流の方向と、前記第２電流遮断部に流れる電流の方向が異なる開閉装置において、前記第１，第２電流遮断部を仕切る前記絶縁隔壁に絶縁して設けられる永久磁石を備え、前記永久磁石の磁極面を前記第１，第２電流遮断部の前記第１固定接点と前記第１可動接点との第１接触部及び前記第２固定接点と前記第２可動接点との第２接触部に向けて配置し、前記第１接触部の第１中心と前記第２接触部の第２中心間の長さより、前記両中心を結ぶ方向における前記永久磁石の長さを小さくし、前記第１，第２排気口をそれぞれ前記絶縁隔壁に沿う方向に設けて、前記第１，第２電流遮断部で遮断時に発生するアークを、前記永久磁石によりそれぞれの前記第１，第２排気口方向に伸張させるようにしたものである。
【０００６】
また、この発明に係わる開閉装置は、第１固定接点を有する固定接触子と、開閉動作で前記第１固定接点と接離可能な第１可動接点を有する可動接触子とから構成される第１電流遮断部、第２固定接点を有する固定接触子と、開閉動作で前記第２固定接点と接離可能な第２可動接点を有する可動接触子とから構成される第２電流遮断部、前記第１，第２電流遮断部を収容並置し前記両電流遮断部を絶縁隔壁によって仕切る絶縁容器、前記第１電流遮断部の消弧空間と前記絶縁容器の外部空間とを連通する第１排気口、及び前記第２電流遮断部の消弧空間と前記絶縁容器の外部空間とを連通する第２排気口を備え、前記絶縁容器に収容された状態で前記第１電流遮断部に流れる電流の方向と、前記第２電流遮断部に流れる電流の方向が同じである開閉装置において、前記第１，第２電流遮断部を仕切る前記絶縁隔壁に絶縁して設けられる永久磁石を備え、前記永久磁石の磁極面を前記第１，第２電流遮断部の前記第１固定接点と前記第１可動接点との第１接触部及び前記第２固定接点と前記第２可動接点との第２接触部に対して直角に向けて配置し、前記第１，第２排気口をそれぞれ前記絶縁隔壁に沿う方向に設けて、前記第１，第２電流遮断部で遮断時に発生するアークを、前記永久磁石によりそれぞれの前記第１，第２排気口方向に伸張させるようにしたものである。
【発明の効果】
【０００７】
この発明の開閉装置によれば、永久磁石の磁場を第１，第２電流遮断部で遮断時に発生するそれぞれのアークに鎖交させ、前記アークをそれぞれの第１，第２排気口方向に伸張させるようにしたので、遮断性能に優れた開閉装置を得ることができる。
【図面の簡単な説明】
【０００８】
【図１】この発明の実施の形態１における開閉装置の外部回路との接続状態を示す説明図である。
【図２】実施の形態１における開閉装置のＯＮ状態を示す側断面図である。
【図３】図２のＡ−Ａ’線における断面説明図である。
【図４】実施の形態１における開閉装置のＯＦＦ状態を示す側断面図である。
【図５】実施の形態１による開閉装置を、上方からの視点で見たアークと永久磁石の位置関係を示す説明図である。
【図６】実施の形態２における開閉装置のＯＮ状態を示す側断面図である。
【図７】実施の形態２における開閉装置のＯＦＦ状態を示す側断面図である。
【図８】実施の形態２における開閉装置を、図７の視点（ｉ）から見たアークと永久磁石の位置関係を示す説明図である。
【図９】実施の形態３における開閉装置のＯＮ状態を示す側断面図である。
【図１０】実施の形態３における開閉装置のＯＦＦ状態を示す側断面図である。
【図１１】実施の形態３における開閉装置を、図１０の視点（ｉｉ）から見たアークと永久磁石の位置関係を示す説明図である。
【図１２】実施の形態４における開閉装置の外部回路との接続状態を示す説明図である。
【図１３】実施の形態４における開閉装置のＯＮ状態を示す側断面図である。
【図１４】図１３のＢ−Ｂ’線における断面説明図である。
【図１５】実施の形態４における開閉装置のＯＦＦ状態を示す側断面図である。
【図１６】実施の形態４における開閉装置を、上方からの視点で見たアークと永久磁石の位置関係を示す説明図である。
【発明を実施するための形態】
【０００９】
実施の形態１．
図１〜５は実施の形態１における直流用開閉装置を説明する図であり、図１はこの発明の実施の形態１における開閉装置の外部回路との接続関係を示す説明図である。図２は開閉装置のＯＮ状態を示す側断面図である。図３は図２のＡ−Ａ’線を矢印方向から見た断面説明図で、永久磁石とＬ極，Ｒ極の位置関係を示す。図４は開閉装置のＯＦＦ状態を示す側断面図である。図５は開閉装置を、上方からの視点で見たアークと、永久磁石と、アークに鎖交する永久磁石の磁場の位置関係を示す。なお、図中同一符号は同一又は相当部分を示し、以下各図において同様とする。
【００１０】
図１において、この発明が適用される開閉装置は、絶縁容器（筺体）内部に絶縁隔壁１８で仕切られた２つの（Ｌ極，Ｒ極）電流遮断部を有し、電線接続方向（通電方向）が決定しているものである。図１に示すように、通電経路としては、電源から開閉装置のＲ極電源側端子に電流が流れ込み、接点部を経由した後にＲ極負荷側端子から出力し、負荷を経由した後にＬ極負荷側端子に入力され、接点部を経由してＬ極電源側端子を経て電源に戻る経路となっている。Ｌ極，Ｒ極に配置される消弧室は同じ構造であるが、通電方向は逆方向となっている。
【００１１】
図２は開閉装置における接点がＯＮ状態のときの主にＬ極側消弧室、つまり、Ｌ極（第１）電流遮断部の側断面図を示す。図において、絶縁物からなる絶縁容器（筺体）１の内部に、一端部に固定接点２を有する固定接触子３が配置される。固定接触子３の他端部は外部回路が接続される電源側端子４となっている。開閉動作で固定接点２と接離可能な可動接点５を一端部に有する可動接触子６が設けられており、ハンドル７と連結されることにより、ハンドル７に連動して接点開閉動作を可能にしている。
【００１２】
可動接触子６の他端部付近に可撓導体８の一端部が接続され、可撓導体８の他端部は外部回路が接続される負荷側端子９に接続されている。なお、各図において、導体に沿う図中の矢印（→）は通電方向を示しており、Ｌ極電流遮断部では、負荷側端子９、可撓導体８、可動接触子６、可動接点５、固定接点２、固定接触子３、電源側端子４の順序で電流が流れる構成になっている。Ｌ極電流遮断部と絶縁隔壁１８で仕切られて筺体１に並置されるＲ極（第２）電流遮断部も、その構成はＬ極電流遮断部と同様であるが、電流がＬ極と反対の順序で流れる構成となっている。以後の説明においても、Ｒ極電流遮断部の構成はＬ極電流遮断部の構成と同様である。
【００１３】
筐体１の内部は排気口１０によって筺体１の外部空間と連通しており、接点周辺から排気口１０までが消弧空間１１として、後に述べるが接点間に発生したアークを伸張させて消弧する空間である。電流遮断部の排気口１０は絶縁隔壁１８に沿う方向で筺体１に設けられている。排気口１０は、電流遮断部の固定接点２と可動接点５との接触部の方向を向いている。なお、ここでは消弧空間１１は筐体１の一部である仕切１２によってハンドル７，可撓導体８が配置された空間と隔てられている。
【００１４】
消弧空間１１には、絶縁隔壁１８に絶縁して設けられた永久磁石１３が、磁極面を接点方向、つまり、電流遮断部の固定接点２と可動接点５との接触部に向けて配置されている。図３は図２のＡ−Ａ’線を矢印方向から見た断面説明図で、永久磁石とＬ極，Ｒ極電流遮断部の位置関係を示す。永久磁石１３はＬ極，Ｒ極電流遮断部を仕切る中間の絶縁隔壁１８に配置されている。さらに、Ｌ極電流遮断部の固定接点２と可動接点５との接触部の中心と、Ｒ極電流遮断部の固定接点２と可動接点５との接触部の中心間の長さＤより、前記両中心を結ぶ方向における永久磁石１３の長さを小さくしている。図示していないが永久磁石１３はカバーによって絶縁保護されている。
【００１５】
図４は開閉装置の接点ＯＦＦ状態におけるＬ極側消弧室の側断面図を示すものである。ここで開閉装置の接点ＯＮ状態（図２）からＯＦＦ状態（図４）に移行する際の動作を説明をする。図２の状態からハンドル７を操作（ＯＮ→ＯＦＦ）すると、これに連動して可動接触子６が反時計回りに開極動作し、固定接点２と可動接点５が開離して接点間にアークが発生する。可動接触子６の開極動作が進み最大開極位置に到達した状態が図４である。
【００１６】
図５に、図４で示した開閉装置を上方からの視点で見た場合のアーク１４と、永久磁石１３と、アーク１４に鎖交する永久磁石１３の磁場の位置関係を示す。アーク１４は、固定接触子３と可動接触子６を流れる電流に作用する永久磁石１３の磁場と、アーク１４が発生したことによりアーク１４周辺の温度が上昇し、排気口１０に向かって発生する熱ガスの流れの影響とにより、排気口１０方向に湾曲伸張する。通電方向は、Ｌ極電流遮断部が紙面表から裏へ、Ｒ極電流遮断部が紙面裏から表となる電流要素が存在する。ここで、永久磁石１３の長さを、Ｌ極とＲ極の接点接触部の中心間の長さＤよりも短くしたため、アーク１４に鎖交する磁場は、永久磁石１３の磁極面に対して水平な成分が強化される。このような磁場がアーク１４に対して鎖交すると、図中太矢印方向である絶縁隔壁１８に沿う方向、つまり、永久磁石１３に向かう駆動力が発生することになる。これによって、アーク１４は広いアーク伸張空間のある絶縁隔壁１８に沿う方向に、排気口１０の方向に伸張し、この結果、アーク抵抗が大きくなりアーク電圧が高くなって遮断性能の向上を実現することが可能になる。
【００１７】
このように、永久磁石１３は、Ｌ極，Ｒ極電流遮断部（つまり、二相）間を仕切る絶縁隔壁１８に配置することで、１個の永久磁石１３で、隣り合う２つの電流遮断部の接点間に発生したアークを制御し、アーク伸張スペースに伸張させることができる、といった従来にない安価な構成で高い遮断性能を奏するものである。また、１個の永久磁石１３の磁極面に対して水平な磁場成分を２つの接点部に発生したアークに鎖交させることでそれぞれのアークの伸張を可能にしている。なお、永久磁石１３の全体の長さを、Ｌ極とＲ極の接点接触部の中心間の長さＤよりも短くする条件で、永久磁石１３を、絶縁隔壁１８側にＬ極，Ｒ極電流遮断部に分割して配置することも可能である。
【００１８】
実施の形態２．
図６〜８は実施の形態２における開閉装置を説明する図であり、図６は開閉装置のＯＮ状態を示す側断面図である。図７は開閉装置のＯＦＦ状態を示す側断面図である。図８は図７の視点（ｉ）から見たアークと永久磁石の位置関係を示す説明図で、アーク１４の電流要素に鎖交する永久磁石１５の磁場を示す。開閉装置内部の基本的な構成及びＯＮからＯＦＦにおける動作は実施の形態１と同様であるが、永久磁石１５の配置が異なっている。永久磁石１５はＬ極，Ｒ極電流遮断部を仕切る絶縁隔壁１８にカバーで絶縁して配置され、図７に示すように両可動接触子６の最大開極状態における可動接点５の裏側（反可動接点側）に、磁極面を接点の接触部に向けて配置されている。
【００１９】
ここでは接点の接触部方向にＳ極面を向けている。さらに、実施の形態１と同様であるが、永久磁石１５の長さはＬ極とＲ極の接点接触部の中心間の長さより短い構造となっている。図７の視点（ｉ）から可動接触子６周辺を見た場合の、アーク１４と永久磁石１５の磁場分布との位置関係を図８に示す。永久磁石１５の長さを、上述のように、Ｌ極とＲ極の接点接触部の中心間の長さより短くしたため、アーク１４に鎖交する磁場は永久磁石１５の磁極面に対して水平成分が強化される。このような磁場がアーク１４に対して鎖交すると、磁束と電流要素とのベクトル積に基づく電磁駆動力が発生し、アーク１４は紙面表方向、つまり排気口１０の方向に駆動力が発生することになる。これによって、アーク１４は広いアーク伸張空間のある排気口１０方向に伸張し、この結果、アーク抵抗が高まることでアーク電圧も向上し高い遮断性能を得ることが可能になる。
【００２０】
実施の形態３． 
図９〜１１は実施の形態３における開閉装置を説明する図であり、図９は開閉装置のＯＮ状態を示す側断面図である。図１０は開閉装置のＯＦＦ状態を示す側断面図である。図１１は図１０の視点（ｉｉ）から見たアークと永久磁石の位置関係を示す説明図で、アーク１４の電流要素に鎖交する永久磁石１６の磁場を示す。開閉装置内部の基本的な構成及びＯＮからＯＦＦにおける動作は実施の形態１，２と同様であるが、永久磁石１６の配置が異なっている。永久磁石１６はＬ極，Ｒ極電流遮断部を仕切る絶縁隔壁１８にカバーで絶縁して配置され、図９に示すように、両固定接触子３の固定接点２の裏側（反固定接点側）に、磁極面を接点の接触部に向けて配置されている。
【００２１】
ここでは接点の接触部方向にＳ極面を向けている。さらに、実施の形態１，２と同様であるが、永久磁石１６の長さはＬ極とＲ極の接点接触部の中心間の長さより短い構造となっている。図１０の視点（ｉｉ）から固定接触子３周辺を見た場合の、アーク１４と永久磁石１６の磁場分布との位置関係を図１１に示す。永久磁石１６の長さを、上述のように、Ｌ極とＲ極の接点接触部の中心間の長さより短くしたため、アーク１４に鎖交する磁場は永久磁石１６の磁極面に対して水平成分が強化される。このような磁場がアーク１４に対して鎖交すると、磁束と電流要素とのベクトル積に基づく電磁駆動力が発生し、アーク１４は紙面表方向、つまり排気口１０の方向にローレンツ力が発生することになる。これによって、アーク１４は広いアーク伸張空間のある排気口１０方向に伸張し、この結果、アーク抵抗が高まることでアーク電圧も向上し高い遮断性能を得ることが可能になる。
【００２２】
実施の形態４．
図１２〜１６は実施の形態４における直流用開閉装置を説明する図であり。図１２は開閉装置の外部回路との接続状態を示す説明図である。図１３は開閉装置のＯＮ状態を示す側断面図である。図１４は図１３のＢ−Ｂ’線を矢印方向から見た断面説明図で、永久磁石とＬ１，Ｌ２極，Ｒ１，Ｒ２極の位置関係を示す。図１５は開閉装置のＯＦＦ状態を示す側断面図である。図１６は開閉装置を、上方からの視点で見たアークと永久磁石の位置関係を示す説明図で、アークの電流要素に鎖交する永久磁石の磁場を示す。
【００２３】
開閉装置内部の基本的な構成及びＯＮからＯＦＦにおける動作は実施の形態１〜３と同様であるが、電線接続方向および永久磁石１７の磁極面の方向が異なっている。電線接続方向は図１２に示すとおりである。電流遮断部（消弧室）が４個並列に並ぶ場合、同図に示すように、Ｒ１，Ｒ２極とＬ１，Ｌ２極は、それぞれ隣り合う電流遮断部の通電方向が同じである。同図において通電経路は、電源から開閉装置のＲ１極電源側端子に電流が流れ込み、接点部を経由した後にＲ１極負荷側端子から出力し、その後、Ｒ２極電源側端子に入り接点部を経由した後に、Ｒ２極負荷側端子から出力して負荷に入る。負荷からはＬ１極負荷側端子に入り接点部を経由してＬ１極電源側端子から出力し、Ｌ２極負荷側端子から入って接点部を経由してＬ２極電源側端子から出力し、電源に戻る経路となっている。このため、通電方向はＲ１，Ｒ２極が同じで、さらに通電方向は異なるがＬ１，Ｌ２極も同じである。
【００２４】
図１３は開閉装置の接点ＯＮ状態のＬ２極電流遮断部の側断面図を示すものである。開閉装置内部の基本構成は実施の形態１〜３と同様であるが、永久磁石１７の磁極面の方向が異なっている。永久磁石１７は、その磁極面を絶縁隔壁１８方向、つまり、接点の接触部方向に対して直角に向けている。ここで、図１３におけるＢ−Ｂ’線を矢印方向から見た断面説明図を図１４に示す。これから、永久磁石１７はＬ１極とＬ２極間、Ｒ１極とＲ２極間をそれぞれ仕切る絶縁隔壁１８にカバーで絶縁して配置され、その磁極面を絶縁隔壁１８方向にそれぞれ向けていることが分かる。
【００２５】
図１５は開閉装置のＯＦＦ状態を示す側断面図で、可動接触子６が最大開極状態におけるＬ２極電流遮断部の側断面図を示す。ハンドル７操作から最大開極に至るまでの経緯は実施の形態１〜３と同様である。図１６に図１５に示した開閉装置を上方からの視点で見た場合の永久磁石１７とアーク１４の電流要素の位置関係を示す。アーク１４は、固定接触子３と可動接触子６を流れる電流に作用する永久磁石１７の磁場と、アーク１４が発生したことによりアーク１４周辺の温度が上昇し、排気口１０に向かって発生する熱ガスの流れの影響とにより、排気口１０方向に湾曲伸張する。
【００２６】
ここで、通電方向がＬ１極とＬ２極では紙面表から裏へ、Ｒ１極とＲ２極では紙面裏から表となる電流要素が存在する。この電流要素に対して、永久磁石１７は、接点の接触部に対して直角方向にその磁極面を向けているため、同図のようにＮ極、Ｓ極の磁極面に入る磁場の方向と反対方向の成分を持つ磁場がアーク１４に対して鎖交し、図中太矢印方向、排気口１０方向、つまり永久磁石１７に向かう駆動力がそれぞれ発生することになる。これによって、アーク１４は広いアーク伸張空間のある排気口１０方向、つまり永久磁石１７の方向に伸張し、この結果、アーク抵抗が大きくなりアーク電圧が高くなって遮断性能の向上を実現することが可能になる。Ｌ１極とＬ２極又はＲ１極とＲ２極に対してそれぞれ１個の永久磁石によって、磁極面に入る磁場の方向と反対方向の成分を持つ磁場が隣合う相の２つのアークに対して鎖交する。これにより、２個の電流遮断部のアークを伸張させることが可能になり、安価に遮断性能を向上させることが可能になる。
【００２７】
図１６から判るように、Ｌ２極電流遮断部の固定接点２と可動接点５との接触部の中心と、Ｌ１極電流遮断部の固定接点２と可動接点５との接触部の中心間の長さ（Ｄ）より、前記両中心を結ぶ方向における永久磁石１７の長さを小さくする必要は、必ずしもない。つまり、接触部の中心間の長さ（Ｄ）より永久磁石１７の長さを大きくしても、Ｌ１極とＬ２極のアーク１４に対して同方向の磁束が鎖交すればよい。Ｌ１極とＬ２極について主に説明したが、Ｒ１極とＲ２極に対しても、永久磁石１７の磁極が反転しているが、同様に作用するものである。
【００２８】
実施の形態４のように、通電方向が同じになる電流遮断部が並列に並ぶ場合、実施の形態２で示したように、永久磁石１７の位置を、Ｌ１極とＬ２極の両可動接触子が最大開極にあるときにおける前記両可動接触子の反可動接点側の前記絶縁隔壁に配置してもよい。この場合においても、永久磁石１７の磁極面は接点の接触部に対して直角に向けてに配置する。
また、実施の形態３で示したように、永久磁石１７の位置を、Ｌ１極とＬ２極の両固定接触子の反固定接点側の前記絶縁隔壁に配置してもよい。この場合においても、永久磁石１７の磁極面は接点の接触部に対して直角に向けて配置する。
なお、この発明は、その発明の範囲内において、各実施の形態を自由に組み合わせたり、各実施の形態を適宜、変形、省略することが可能である。
【符号の説明】
【００２９】
１  絶縁容器（筺体）                    ２  固定接点
３  固定接触子                          ４  電源側端子
５  可動接点                            ６  可動接触子
７  ハンドル                            ８  可撓導体
９  負荷側端子                          １０  排気口
１１  消弧空間                          １２  仕切
１３  永久磁石                          １４  アーク
１５  永久磁石                          １６  永久磁石
１７  永久磁石                          １８  絶縁隔壁。
【図１】
2014222566.tif 000003
【図２】
2014222566.tif 000004
【図３】
2014222566.tif 000005
【図４】
2014222566.tif 000006
【図５】
2014222566.tif 000007
【図６】
2014222566.tif 000008
【図７】
2014222566.tif 000009
【図８】
2014222566.tif 000010
【図９】
2014222566.tif 000011
【図１０】
2014222566.tif 000012
【図１１】
2014222566.tif 000013
【図１２】
2014222566.tif 000014
【図１３】
2014222566.tif 000015
【図１４】
2014222566.tif 000016
【図１５】
2014222566.tif 000017
【図１６】
2014222566.tif 000018